(57)【特許請求の範囲】
【請求項１】
軸心部を貫通する円孔の内面に波形の軸断面を有する凸条が周設され割り型として構成された複数の金型を同軸上に所定間隔毎に並設し、夫々の円孔に一括して挿通された素材チューブにこれの内側に液圧を導入しつつ軸長方向の圧縮力を加え、前記素材チューブの外周の各金型の凸条間に挾まれた部分に波形の環状突起を成型するフレキシブルチューブの製造装置において、前記金型は、前記円孔をその中心部に有する円板形の内型と、該内型を軸回りでの回転自在に内嵌保持する外型とを備え、各金型の内型に一括して回転力を加え、これらの割り面と夫々の外型の割り面とが整合する合わせ位置と、同じく整合しない成型位置との間にて回転させる内型回転手段を具備することを特徴とするフレキシブルチューブの製造装置。
【請求項２】
前記金型は、軸心を通る単一の割り面を備える二つ割り型としてあり、前記合わせ位置と前記成型位置との間の回転角度を略９０°としてある請求項１記載のフレキシブルチューブの製造装置。
【請求項３】
前記内型回転手段は、前記金型の並設方向両側にこれらと対向配置された一対の回転板と、これらの一方又は両方に回転力を加え、前記金型と同軸上にて回転させる駆動源と、両回転板間に架設され、各金型の内型の対応位置を貫通する保持孔に一括して挿通された作動ロッドとを備える請求項１又は請求項２記載のフレキシブルチューブの製造装置。
【発明の詳細な説明】
【０００１】
【発明の属する技術分野】
本発明は、波形の軸断面を有する複数の環状突起をその外周に備えてなるフレキシブルチューブを製造する装置に関する。
【０００２】
【従来の技術】
各種流体の輸送用の配管系には、内部流れの影響による振動、外部からの加振に伴う振動等、各種の振動が発生することから、これらの振動に起因する配管及び支持部の損傷を未然に防止するための対策が必要であり、この種の対策の一つとして、配管系の中途にフレキシブルチューブを介装し、前記振動に起因する配管系の撓みを吸収する構成が広く採用されている。
【０００３】
このような目的に使用されるフレキシブルチューブの一つに、図５にその軸断面を示す如く、円管状をなす金属チューブの周壁を屈曲させ、波形の軸断面を有する複数の環状突起10，10…を軸長方向に適宜のピッチ毎に形成してなるフレキシブルチューブ１がある。このフレキシブルチューブ１は、環状突起10，10…の形成域の両側に残した適長の管状部11，11の端部を、溶接、フランジ接続等の適宜の手段により他の配管に接続して配管系の中途に介装して用いられ、軸と交叉する種々の方向の力の作用時に、各環状突起10，10…の夫々が基部の幅を増減するように変形して、前記各力の作用方向の撓みを吸収する作用をなす。
【０００４】
以上の如きフレキシブルチューブ１は、従来一般的には、図６に示す金型７を用い、図７〜図９に示す手順により製造されている。金型７は、軸心部を貫通する円孔70を有する矩形平板であり、該円孔70の中心を含み、矩形の一辺に沿う割り面71により二つ割り可能な割り型として構成されている。
【０００５】
図６（ａ）は、金型７の分離状態を、図６（ｂ）は、金型７の合わせ状態を夫々示しており、（ａ）に示す如く、分離下にて半円形をなす前記円孔70の内周面には、厚さ方向の両側を大径に削り込み、中央部を内向きに突出せしめて波形の軸断面を有する凸条72が形成されており、この凸条72は、（ｂ）に示す合わせ状態において、前記円孔70の内面の全周に亘って連続するようになしてある。
【０００６】
フレキシブルチューブ１の製造においては、図７〜図９に示すように、以上の如き金型７を前記環状突起10，10…の必要数（ここでは５つ）だけ用意し、これらを同軸上に所定間隔毎に並設すると共に、並設方向両側にこれらと同軸上に一対のプレスヘッド８，８を対向配置してなる装置が用いられる。
【０００７】
図において金型７，７…は、夫々の割り面71，71…と直交する断面として示してある。フレキシブルチューブ１の製造に当たっては、まず、薄肉の金属管である素材チューブＳを前記プレスヘッド８，８間に支持せしめ、分離下にある各金型７，７…の円孔70，70…の内側に位置決めし、その後各金型７，７…を合わせることにより、図７に示す如く、前記素材チューブＳを金型７，７…の円孔70，70…内に一括して挿通せしめた状態とする。このとき素材チューブＳは、各金型７，７…の円孔70，70…の内面、より具体的には、各円孔70，70…の内面に周設された凸条72，72…の端縁により軸長方向の複数か所をその外側から掴持された状態となる。
【０００８】
プレスヘッド８，８は、図示しない成型シリンダの動作により、相互に接離する方向に移動可能であり、また一方のプレスヘッド８は、図示しない液圧源に接続された液圧導入口80を有している。プレスヘッド８，８間に前述の如く支持された素材チューブＳは、前記液圧導入口80から内側に液圧（一般的には水圧）を導入しつつプレスヘッド８，８を接近させて軸長方向の圧縮力を加えることによりフレキシブルチューブ１に成型される。
【０００９】
以上の成型の過程において素材チューブＳの周壁は、内側に導入される前記液圧の作用により、図８に示す如く、金型７，７…による掴持部間にて外側に膨らみ、更にこの状態で行われるプレスヘッド８，８間での圧縮により、前記膨らみを増すように変形し、最終的に金型７，７…が軸長方向に重なった状態となったとき、図９に示す如く、夫々の凸条72，72…間に形成される凹溝の内面に押し付けられる態様に変形し、夫々の凹溝に対応する複数（図においては４つ）の環状突起10，10…を備えたフレキシブルチューブ１が形成される。得られたフレキシブルチューブ１は、金型７，７…を分離し、プレスヘッド８，８を離反させることにより取り出すことができる。
【００１０】
【発明が解決しようとする課題】
さて、以上の如く行われるフレキシブルチューブ１の製造に際し、金型７，７…は、素材チューブＳの装着と得られたフレキシブルチューブ１の取り出しとを可能とするため、前述した二つ割り型の如く、複数片に分離可能な割り型とせざるを得ないことから、素材チューブＳの内側に導入される液圧の作用による割り面71，71…での分離を防ぐための手段が必要である。
【００１１】
そこで従来においては、図７〜図９に示す如く、各金型７，７…の夫々の割り面72，72…と平行をなす両側縁を一括して支える受圧ブロック９，９を設け、これらの受圧ブロック９，９の剛性により、成型時の金型７，７…の分離を防ぐ構成としてある。ところが、このように構成した場合、複数の金型７，７…の一括して拘束する受圧ブロック９，９が大嵩となり、また、金型７，７…を受圧ブロック９，９と共に開閉（分離及び合わせ）操作する開閉シリンダとして大容量のシリンダを要することから、これらを支える支持枠を含めた装置の大型化が避けられないという問題があった。
【００１２】
また、前述した成型の過程においてプレスヘッド８，８の動作により素材チューブＳを圧縮するとき、これに伴って金型７，７…は、図９に示す如く軸長方向に重なった状態となるまで相互に接近せしめられるが、これらの金型７，７…が前記受圧ブロック９，９により支えられた従来の構成においては、前記接近のための金型７，７…の移動が、これらの側縁に押し付けられた受圧ブロック９，９との摺接を伴って生じることから、この摺動抵抗により各金型７，７…が軸心線に対して傾く虞れが高く、周面の複数の環状突起10，10…の内のいくつかに倒れを生じた見栄えの悪いフレキシブルチューブ１が得られ、商品価値の低下を招来するという不都合があった。
【００１３】
このような不都合を解消するため従来においては、図７〜図９に示す如く、受圧ブロック９，９の金型７，７…との当接面に摩擦係数の低い材料からなる滑り板90を取り付け、前記摺動抵抗の低下を図る構成としてある。ところが、この構成においても金型７，７…の傾きを完全に防ぐことは難しく、高品質のフレキシブルチューブ１が得難いという問題があった。
【００１４】
本発明は斯かる事情に鑑みてなされたものであり、成型時における金型の分離を、これらと別体に構成された大嵩の受圧ブロックを用いることなく確実に防止でき、成型時における割り型の倒れを有効に抑え、高品質のフレキシブルチューブを安定して製造し得る小型化されたフレキシブルチューブの製造装置を提供することを目的とする。
【００１５】
【課題を解決するための手段】
本発明に係るフレキシブルチューブの製造装置は、軸心部を貫通する円孔の内面に波形の軸断面を有する凸条が周設され割り型として構成された複数の金型を同軸上に所定間隔毎に並設し、夫々の円孔に一括して挿通された素材チューブにこれの内側に液圧を導入しつつ軸長方向の圧縮力を加え、前記素材チューブの外周の各金型の凸条間に挾まれた部分に波形の環状突起を成型するフレキシブルチューブの製造装置において、前記金型は、前記円孔をその中心部に有する円板形の内型と、該内型を軸回りでの回転自在に内嵌保持する外型とを備え、各金型の内型に一括して回転力を加え、これらの割り面と夫々の外型の割り面とが整合する合わせ位置と、同じく整合しない成型位置との間にて回転させる内型回転手段を具備することを特徴とする。
【００１６】
本発明においては、フレキシブルチューブの製造に用いる複数の金型を、成型用の円孔をその軸心部に有する円板形の内型と、これを軸回りでの回転自在に保持する外型とを備えた割り型として構成し、これらを合わせて前記円孔中に素材チューブを挿通した状態で行われる成型に先立って、内型回転手段により内型を回転させ、内型及び外型の割り面が整合しない成型位置となし、この状態で素材チューブの内側に液圧を導入する。このとき、前記液圧の作用によりその割り面を分離させるように内型に加わる力がこれと異なる割り面を有する外型によって、即ち、金型自体によって支持され、素材チューブの内圧により外型を分離させる方向に作用する力は小さく、外型にわずかな支え力を加えるのみで成型中の金型の合わせ状態を維持することができる。
【００１７】
また、前記金型は、軸心を通る単一の割り面を備える二つ割り型としてあり、前記合わせ位置と前記成型位置との間の回転角度を略９０°としてあることを特徴とする。
【００１８】
即ち、金型を二つ割り型とし、金型を合わせた後の内型の回転角度を９０°とすることにより、素材チューブの内圧により内型を分離させるべく加わる合力の作用方向が外型の割り面に沿う方向となり、外型に特別の力を加えることなく合わせ状態を維持することができる。
【００１９】
更に、前記内型回転手段は、前記金型の並設方向両側にこれらと対向配置された一対の回転板と、これらの一方又は両方に回転力を加え、前記金型と同軸上にて回転させる駆動源と、両回転板間に架設され、各金型の内型の対応位置を貫通する保持孔に一括して挿通された作動ロッドとを備えることを特徴とする。
【００２０】
即ち、同軸上に並ぶ金型の両側に一対の回転板を対向配置し、これらの間に架設した作動ロッドを各金型の内型を貫通する保持孔に一括挿通せしめ、適宜の駆動源からの伝動により生じる回転板の回転を作動ロッドを介して各金型の内型に伝え、該内型を一括して回転させる構成により、金型を合わせた状態から成型状態への移行を複雑な操作を要することなく確実に実現する。
【００２１】
【発明の実施の形態】
以下本発明をその実施の形態を示す図面に基づいて詳述する。図１は、本発明に係るフレキシブルチューブの製造装置（以下本発明装置という）の要部の構成を示す平面図である。
【００２２】
本発明装置は、円管状をなす素材チューブの周壁の屈曲成型により、図５に示す如く、波形断面を有する複数の環状突起10，10…を軸長方向に並設してなるフレキシブルチューブ１を得るべく構成されたものであり、矩形の支持枠２の内側の略水平な床面上に、長手方向に所定のピッチ毎に並設された複数の金型３，３…と、これらの並設方向両側に対向配置された一対のプレスヘッド４，４とを備えてなる。
【００２３】
プレスヘッド４，４は、他方との対向面に同軸上に突設された保持突起40，40を備え、フレキシブルチューブ１の素材となる素材チューブＳ（図７，８参照）を、これの両端を前記保持突起40，40に内嵌せしめて支持すると共に、該素材チューブＳに軸長方向の圧縮力を加える動作をなすものである。
【００２４】
支持枠２内側には、これの長手方向に沿って一対の開閉テーブル50，50が架設してあり、これらには、夫々の長手方向に、支持枠２の外側を含む所定ストロークの進退動作をなす成型シリンダ41，41が夫々固設されている。前記プレスヘッド４，４の一方は、成型シリンダ41，41の出力ロッドに連結された可動台42に取り付けてあり、成型シリンダ41，41の進退動作に伴う前記可動台42の移動により他方のプレスヘッド４に接離する方向に移動する可動ヘッドとして構成されている。
【００２５】
また他方のプレスヘッド４は、前記可動台42に対向する固定台44に取り付けられ、固定ヘッドとして構成されている。該固定台44は、支持枠２の外壁に固設され固定シリンダ43，43の出力端に、前記支持枠２の内側において連結され、固定シリンダ43，43の進退動作に伴い可動台42に接離する方向に適宜のストロークの移動を行い得るようになしてあるが、この移動は、成型前の素材チューブＳの取り付け、及び成型後のフレキシブルチューブ１の取り外しに際して行われるものであり、成型中の固定台44は固定状態に保たれ、素材チューブＳの圧縮は、成型シリンダ41，41の動作により可動台42を移動させ、固定台44に近付けることにより行われる。
【００２６】
金型３，３…は、得るべきフレキシブルチューブ１の環状突起10，10…の必要個数に応じて複数個用意し、プレスヘッド４，４間にこれと同軸をなすように並設されている。
【００２７】
図２は、本発明装置において用いる金型３の斜視図である。図示の金型３は、図６に示す従来の金型７と同様、全体としては、軸心部を貫通する円孔30を有する矩形平板であり、該円孔30の中心を含み、矩形の一辺に沿う割り面31により二つ割り可能な割り型として構成されている。
【００２８】
図６におけると同様、図２（ａ）は金型３の分離状態を、図２（ｂ）は金型３の合わせ状態を夫々示しており、（ａ）に示す如く、分離下にて半円形をなす円孔30の内周面には、厚さ方向の両側を大径に削り込み、中央部を内向きに突出せしめて波形の軸断面を有する凸条32が形成されており、この凸条32は、（ｂ）に示す合わせ状態において、前記円孔30の内面の全周に亘って連続するようになしてある。
【００２９】
本発明の金型３の特徴は、二つ割りされた金型３の半部の夫々が、互いに分離可能に組み合わされた内型3aと外型3bとにより構成されていることにある。内型3aは、図示の如く、前記円孔30の半部を中心とする半円形の板材であり、その外周には所定幅の凸条33が周設されている。一方外型3bは、内型3aの外径と等しい内径を有し、その内周に前記凸条33に係合する凹溝34を備える半円形の嵌合孔を他方との割り面側に備える矩形平板であり、内型3aと外型3bとは、前者の凸条33を後者の凹溝34に係合せしめ、（ａ）に示す如く一体化されている。
【００３０】
本発明装置に用いる金型３は、以上の如く構成された半部の割り面31，31を、その幅及び長さ方向に整合せしめて突き当てることにより、（ｂ）に示す如く構成される。この状態において、内型3aと外型3bとの嵌合部は周方向に連続し、内型3aは、凹溝34に沿う凸条33の摺動によりその軸回りでの回転が可能であり、本発明装置においては、図２（ｂ）に示す如く合わせ状態を得た後に内型3aを回転させ、該内型3aの割り面31が外型3bの割り面31とが整合しない回転位置となり、この状態で成型を行う。図３は、成型時における金型３の状態を示す斜視図であり、成型時において内型3aは、図２（ｂ）に示す合わせ位置から略90°回転せしめられ、図３に示す如き回転位置とされる。
【００３１】
支持枠２内側の床面上には、図１に示す如く、長手方向に所定の距離を隔てた位置を幅方向に横切る態様に、互いに平行をなして一対のガイドレール20，20が架設されており、前記開閉テーブル50，50は、これらのガイドレール20，20に沿って移動自在に取り付けてある。開閉テーブル50，50の上部には、長手方向の両端に各一対の支持台５，５が立設され、これらの支持台５，５間には、前記金型３，３…を支持するための上下一対の支持ロッド51，51が架設されている。
【００３２】
図２及び図３に示す如く金型３，３…は、夫々の外型3bの四隅を厚さ方向に貫通する支持孔35，35…を備えており、これらの支持孔35，35…の夫々を前記支持ロッド51，51…を挿通せしめることにより、プレスヘッド４，４の軸心上に並ぶ態様に支持されている。
【００３３】
前記開閉テーブル50，50は、夫々の長手方向の中途部において、前記支持枠２内側の床面上に固設された各別の開閉シリンダ52，52の出力端に連結されており、これらの動作に応じて、夫々に支持された金型３，３…の半部と共に、前記ガイドレール20，20に案内されて移動し、相互に接離するようになしてある。金型３，３…は、開閉シリンダ52，52の進出に伴う接近時に、夫々の半部がプレスヘッド４，４の軸心を中心として突き合わされ、図２（ｂ）に示す合わせ状態となり、また一方、開閉シリンダ52，52の退入に伴う離反時に、夫々の半部がプレスヘッド４，４の両側に所定長離隔し、図２（ａ）に示す分離状態となる。図１には、その上半部に金型３，３…合わせ状態が、下半部に金型３，３の分離状態が夫々示されている。
【００３４】
以上の如く開閉される金型３，３…の夫々は、前記支持ロッド51，51…により四隅を支持された外型3b，3b…が、軸回りでの回転自在に内型3a，3a…を保持しており、本発明装置は、これらの内型3a，3a…を前述した合わせ状態下にて一括して回転させる内型回転手段を備え、該手段の動作により、図２（ｂ）に示す回転位置（合わせ位置）と図３に示す回転位置（成型位置）との間にて回転させ得るようになしてある。
【００３５】
内型回転手段は、前記支持台５，５の夫々に取り付けられ、金型３，３…の並設方向両側にこれらと対向配置された一対の回転板６，６と、これらの間に架設された一対の作動ロッド60，60とを備えてなる。
【００３６】
図４は、一方の支持台５（の半部）における回転板６の取り付け態様を示す斜視図である。図示の如く回転板６は、その外周に歯が形成された半円形の外歯車であり、図中に二点鎖線により示す支持台５に、図示しない他方の支持台５との間に前述の如く支持された金型３，３…の中心と一致する軸回りでの回転自在に枢支され、その外歯を支持台５に固設されたギヤードモータＭの出力歯車61に噛合させ、該ギヤードモータＭからの伝動により、金型３，３と平行をなす面内にて回転するようになしてある。
【００３７】
この回転板６の他方の回転板６との対向面には、その軸心を中心とする所定の円周上に、一対の作動ロッド60，60の一端が、例えば、ねじ止め等の手段にて夫々連結され、これらの他端は、図示の回転板６と対向する他方の回転板６に同様に連結されている。この連結により作動ロッド60，60は、図１に示す如く、回転板６，６間に金型３，３…の並設方向に沿って架設された状態となり、前記ギヤードモータＭからの伝動により回転板６が回転するとき、作動ロッド60，60は、これらの配設円周に沿って回転することとなる。
【００３８】
なお、以上の説明においては、対向配置された一対の回転板６，６の内、一方の回転板６にのみギヤードモータＭからの伝動がなされ、他方の回転板６は追随回転するかの如く述べたが、このようにした場合、作動ロッド60，60の弾性の影響により他方の回転板６の追随回転が滑らかに生じない虞れがあり、実際には、両回転板６，６の夫々にギヤードモータＭを付設し、これらを同期回転させて両回転板６，６に回転力を付与する構成とするのがよい。
【００３９】
図２及び図３に示す如く金型３の内型3bには、これの軸心を中心とする所定の円周上、具体的には、回転板６における作動ロッド60，60の配設円と同径の円周上にて割り面31の両側に等配をなす位置に、厚さ方向に貫通する各一対の保持孔36，36が形成されており、図中に二点鎖線により示す如く、同側の半部に形成された保持孔36，36の夫々に前記作動ロッド60，60が挿通されている。作動ロッド60，60の挿通は、同軸上に並ぶ複数の金型３，３…の夫々に対して同様に実施されている。これにより、ギヤードモータＭからの伝動による回転板６の回転は、作動ロッド60，60を介して各金型３，３…の内型3a，3a…に伝達され、これらが各別の外型3b，3b…に対して軸回りに一括して回転せしめられることとなり、このようにして内型回転手段が構成されている。
【００４０】
回転板６には、その外周と同軸をなす適宜の円周に沿って、略９０°の中心角度を有してガイド溝62が形成され、該ガイド溝62には、支持台５に打設されたガイドピン63が係合させてある。而して、回転板６の回転は、ガイドピン63によるガイド溝62の拘束により、図４に実線にて示す回転位置から破線にて示す回転位置との間、即ち、略９０°の回転角度内において正逆両方向に行われ、内形3a，3a…においては、一方の回転位置にて図２（ｂ）に示す合わせ位置が、他方の回転位置にて図３に示す成型位置が夫々実現される。
【００４１】
なお以上の説明においては、金型３，３…の開閉に伴って分離する支持台５の一方の半部にのみ回転板６を取り付け、該回転板６の回転を内型3b，3b…の一方の半部に伝達し、他方の半部は追随回転させる構成としてあるが、支持台５の両半部において同様の機構を併設し、内形3bの全体に回転力を加える構成としてもよい。但しこの構成は、ギヤードモータＭの必要数の増加、これらを同期回転させるための制御系の複雑化を伴うこととなる。更に、内型回転手段の構成は、図示の構成に限らず、同軸上に併設された金型３，３…の内型3b，3b…を一括して回転せしめ得るものであれば他の構成を採用することも可能である。
【００４２】
以上の如く構成された本発明装置によるフレキシブルチューブ１の製造は、前記図７〜図９に示す従来の手順と同様に行われ、まず、薄肉の金属管である素材チューブＳを前記プレスヘッド４，４間に取り付ける。この取り付けは、図１の下半部及び図２（ａ）に示す如く、金型３，３を分離状態に保ち、これらの間に挿入された素材チューブＳをプレスヘッド４，４間に位置決めし、成型シリンダ41及び固定シリンダ43の動作により可動台42と固定台44とを接近させて、プレスヘッド４，４の軸心部に突設された保持突起40，40を素材チューブＳの両端に嵌合せしめて行われる。
【００４３】
この取り付けの後、開閉シリンダ52，52を進出させ、複数の金型３，３…を、図２（ｂ）に示す如き合わせ状態とする。これにより、プレスヘッド４，４間に取り付けられた素材チューブＳは、各金型３，３…の中心に形成された円孔30，30…内に一括して挿通せしめられ、これらの円孔30，30…の内面、より具体的には、各円孔30，30…の内面に周設された凸条32，32…の端縁により軸長方向の複数か所をその外側から掴持された状態となる。
【００４４】
本発明装置においては、この後、ギヤードモータＭを駆動し、回転板６を90°回転せしめる特有の動作が行われ、これにより各金型３，３…の内型3a，3aは、図３に示す成型位置とされる。この後、プレスヘッド４，４間に支持された素材チューブＳは、固定側のプレスヘッド４に形成された液圧導入口（図示せず）からその内側に液圧を導入されつつ成型シリンダ41の動作により軸長方向に圧縮され、前記図８及び図９に示す如くに変形して、相互に重なり合った金型３，３…の凸条32，32…間にて波形の軸断面を有する複数の環状突起10，10…が成型されたフレキシブルチューブ１が得られる。
【００４５】
この成型の過程において素材チューブＳは、内側に導入される液圧の作用により膨らもうとし、割り型として構成された金型３，３…には、その割り面31において分離させようとする力が作用する。本発明装置においては、前記液圧の導入に先立ち、複数の金型３，３…の夫々において、外型3bに対して内型3aを90°回転させた成型位置が実現されており、図３に示す如く、内型3aの割り面31と外型3bの割り面31とが互いに直交する状態となっている。従って、素材チューブＳの内圧により内型3aをその割り面31において分離させるべく加わる合力の作用方向は、図３中に白抜矢符にて示す如く、外型3bの割り面31に沿う方向となり、内型3aの分離を外型3bの剛性により余裕を持って防ぐことができ、従来の装置における受圧ブロック９，９の如く、金型３，３…の分離を防ぐ部材は不要となる。
【００４６】
外型3b，3b…の４隅を支える支持ロッド51，51…は、各金型３，３…の同心性を維持し、またこれらの倒れを防ぐ作用をなすものであり、プレスヘッド４，４間での素材チューブＳの圧縮に伴い金型３，３…は、前記支持ロッド51，51…を案内として、同心性を維持しつつ倒れを伴うことなく、互いに重なり合うまで移動せしめられ、金型３，３…間にて成型される環状突起10，10…は、軸心に対する倒れの小さい良好なものとなり、高品質のフレキシブルチューブ１を安定して製造することができる。
【００４７】
以上の如く得られたフレキシブルチューブ１は、金型３，３…を分離し、その両端からプレスヘッド４，４を抜き出した後、例えば、上方に取り出される。本発明装置においては、この取り出しに先立ちギヤードモータＭを逆転駆動し、複数の金型３，３…の内型3a，3aを図２（ｂ）に示す合わせ位置に戻す動作がなされ、金型３，３…の分離は、この状態で開閉シリンダ52，52を退入動作させることにより一括して行われる。またプレスヘッド４，４の抜き出しは、成型シリンダ41及び固定シリンダ43の動作により、プレスヘッド４，４を離反させることにより実現される。
【００４８】
【発明の効果】
以上詳述した如く本発明装置においては、成型用の円孔をその軸心部に有する円板形の内型と、これを軸回りでの回転自在に保持する外型とを備えた割り型として構成された金型を用い、更に、前記内型を一括して回転させる内型回転手段を備えるから、金型を合わせて前記円孔中に素材チューブを挿通した状態で行われる成型に先立って内型を回転させ、内型及び外型の割り面同士が整合しない成型位置となし、この状態で素材チューブの内側に導入される液圧の作用により内型を割り面において分離させるように加わる力が異なる割り面を有する外型によって支持され、素材チューブの内圧により外型を分離させる方向に作用する力は小さく、外型にわずかな支え力を加えるのみで成型中の金型の合わせ状態を維持することが可能となり、金型の分離を防ぐべく別体に構成された大嵩の受圧ブロックが不要となり、装置の小型化が達成されると共に、成型中の金型の倒れを防ぎ、高品質のフレキシブルチューブが得られるようになる。
【００４９】
また、内型と外型とからなる金型を二つ割り型とし、成型時に合わせ状態から内型を９０°回転させるから、素材チューブの内側に導入される液圧の作用により内型を分離力の作用方向が外型の割り面に沿う方向となり、外型に特別の力を加えることなく合わせ状態を維持することができ、成型中の金型の分離をより有効に防止し得る。
【００５０】
更に、内型回転手段を、金型の並設方向の両側に対向配置した一対の回転板間に架設した作動ロッドを各金型の内型を貫通する保持孔に一括挿通せしめ、回転板の回転を作動ロッドを介して各金型の内型に伝え、該内型を一括して回転させる構成としたから、合わせ状態から成型状態への移行を簡素な構成により確実に実現できる等、本発明は優れた効果を奏する。
【図面の簡単な説明】
【図１】本発明装置の要部の構成を示す平面図である。
【図２】本発明装置において用いる金型の斜視図である。
【図３】成型時における金型の状態を示す斜視図である。
【図４】内型回転手段としての回転板の取り付け態様を示す斜視図である。
【図５】本発明装置において製造するフレキシブルチューブの軸断面図である。
【図６】フレキシブルチューブの製造に用いられている従来の金型の斜視図である。
【図７】従来におけるフレキシブルチューブの製造手順の説明図である。
【図８】従来におけるフレキシブルチューブの製造手順の説明図である。
【図９】従来におけるフレキシブルチューブの製造手順の説明図である。
【符号の説明】
１    フレキシブルチューブ
２    支持枠
３    金型
3a    内型
3b    外型
４    プレスヘッド
５    支持台
６    回転板
20    ガイドレール
31    割り面
35    支持孔
36    保持孔
41    成型シリンダ
51    支持ロッド
52    開閉シリンダ
60    作動ロッド
Ｍ    ギヤードモータ
Ｓ    素材チューブ
【図１】
0003782172.tif 000002
【図２】
0003782172.tif 000003
【図３】
0003782172.tif 000004
【図４】
0003782172.tif 000005
【図５】
0003782172.tif 000006
【図６】
0003782172.tif 000007
【図７】
0003782172.tif 000008
【図８】
0003782172.tif 000009
【図９】
0003782172.tif 000010